(57)【要約】【課題】ＣＰＵに負荷を掛けないで済み、小型で安価なカメラサーバを実現することができるカメラサーバの色補正方法を提供すること。【解決手段】カメラの映像信号を取り込み、Ａ／Ｄ変換と画像圧縮をして通信回線網に映像を配信するカメラサーバにおいて、カメラコントロール信号線の情報を基に接続されるカメラに対するＡ／Ｄ変換の設定値をＲＯＭのデータより決定する。  本発明によれば、カメラサーバに接続されるカメラ毎の色補正をＡ／Ｄ変換器の設定値を変えることで行うことによりＣＰＵに負荷を掛けないで済み、小型で安価なカメラサーバが実現できる。又、カメラコントロール信号により自動的にカメラを特定して設定を変更することで、使用者に対する設定等の煩わしさがなくて済む。【選択図】図１
2005117475.tif 000002
【特許請求の範囲】
【請求項１】
カメラの映像信号を取り込み、Ａ／Ｄ変換と画像圧縮をして通信回線網に映像を配信するカメラサーバにおいて、
カメラコントロール信号線の情報を基に接続されるカメラに対するＡ／Ｄ変換の設定値をＲＯＭのデータより決定することを特徴とするカメラサーバの色補正方法。
【請求項２】
カメラコントロール信号が認識できなかった場合はカラーバー信号を用いて予め決定した初期値を設定値とすることを特徴とする請求項１記載のカメラサーバの色補正方法。
【請求項３】
カメラコントロール信号が認識できた場合は接続されたカメラの形式を特定し、該カメラに対応して予め決定してある設定値にＡ／Ｄ変換器を設定することを特徴とする請求項１記載のカメラサーバの色補正方法。
【請求項４】
複数のカメラを接続しカメラを切替えての映像信号を取り込み、Ａ／Ｄ変換と画像圧縮をして通信回線網に映像を配信するカメラサーバにおいて、
カメラを切替える毎にカメラコントロール信号線の情報を基に接続されるカメラに対するＡ／Ｄ変換の設定値をＲＯＭのデータより決定することを特徴とするカメラサーバの色補正方法。
【請求項５】
カメラを切替えた時にカメラコントロール信号が認識できなかった場合はカラーバー信号を用いて予め決定した初期値を設定値とすることを特徴とする請求項４記載のカメラサーバの色補正方法。
【請求項６】
カメラを切替えた時にカメラコントロール信号が認識できた場合は接続されたカメラの形式を特定し、該カメラに対応して予め決定してある設定値にＡ／Ｄ変換器を設定することを特徴とする請求項４記載のカメラサーバの色補正方法。
【請求項７】
カメラ毎のＡ／Ｄ変換の設定値はそれぞれの形式のカメラでカラーチャートを写し、カメラサーバにより表示装置に映像を送り、概表示装置に静止画として取り込んで、そのデータを基に決定することを特徴とする請求項１，３，４，６の何れかに記載のカメラサーバの色補正方法。
【発明の詳細な説明】
【技術分野】
【０００１】
本発明は、カメラの映像信号をカメラサーバでＡ／Ｄ変換と画像圧縮をして通信回線網に映像を配信し、通信回線網を介してモニターに表示をする時に、カメラごとの色補正をカメラサーバで行う方法に関するものである。
【背景技術】
【０００２】
入力装置で映像入力をデジタル信号に変換して取り込み、そのデータを表示装置等の出力装置に出力する場合に、それぞれの装置で変換時に生じる色データのずれを補正するカラーマネジメントは、入力装置と出力装置の標準画像に対する色空間のずれに対する変換テーブルを持ち、デジタルデータの演算で色補正を行うものであった。
【０００３】
【特許文献１】特開平１１−１７９７０号公報
【発明の開示】
【発明が解決しようとする課題】
【０００４】
カメラサーバに接続される映像入力装置ごとにカメラサーバで色補正を行って、表示装置で映像入力を切替えて表示しても色味に対して違和感なく表示させようとした場合、カメラサーバで色のデジタルデータに対して入力装置及び出力装置の変換テーブルの値を用いて演算を行うには、ＣＰＵに可成りの負荷が掛かる。そのため、カメラサーバのように映像をリアルタイムで配信する装置では、ＣＰＵとして可成り高性能のものが必要で熱対策等も必要となり、大型化やコスト高となってしまう。
【０００５】
本発明は上記問題に鑑みてなされたもので、その目的とする処は、ＣＰＵに負荷を掛けないで済み、小型で安価なカメラサーバを実現することができるカメラサーバの色補正方法を提供することにある。
【課題を解決するための手段】
【０００６】
上記目的を達成するため、本発明は、カメラの映像信号を取り込み、Ａ／Ｄ変換と画像圧縮をして通信回線網に映像を配信するカメラサーバにおいて、カメラコントロール信号線の情報を基に接続されるカメラに対するＡ／Ｄ変換の設定値をＲＯＭのデータより決定することを特徴とする。
【発明の効果】
【０００７】
本発明によれば、カメラサーバに接続されるカメラ毎の色補正をＡ／Ｄ変換器の設定値を変えることで行うことによりＣＰＵに負荷を掛けないで済み、小型で安価なカメラサーバが実現できる。又、カメラコントロール信号により自動的にカメラを特定して設定を変更することで、使用者に対する設定等の煩わしさがなくて済む。新しいカメラの登録に対しても設定値を決めて登録するだけで良く、新しいカメラに対する対応が簡単である。
【発明を実施するための最良の形態】
【０００８】
以下に本発明の実施の形態を添付図面に基づいて説明する。
【０００９】
映像を取り込むためのカメラと、映像信号入力及びカメラコントロール信号入力を持ち、カメラコントロール信号によりカメラの形式を特定してＡ／Ｄ変換器の設定値を選択し、映像信号入力より映像を取り込んで概設定値でＡ／Ｄ変換し、画像圧縮して通信回線網に配信するカメラサーバと、通信回線網によりカメラサーバより送られてきた映像信号を受け取り処理してモニターに表示し、カメラをコントロールするための情報を送る表示装置とから成る。
【００１０】
図１に示す実施の形態について図３のフローチャートに基づいて説明する。
【００１１】
先ず、パン・チルト・ズーム等のカメラコントロールができるカメラ１０と、通信回線網４０に映像を配信するカメラサーバ２０との接続で、カメラ１０の映像信号線１１とカメラ１０をコントロールするためのコントロール信号線１２が接続される。カメラサーバ２０ではコントロール信号線１２による通信で接続されたカメラ１０の形式を特定するに当たり、コントロール信号が認識できるかどうかを判断する（Ｓ１０）。コントロール信号が認識できない例としては、コントロール信号線１２が未接続であったり、コントロールの対象外のカメラであったりすることが考えられる。
【００１２】
カメラサーバ２０でコントロール信号が認識できなかった場合はＡ／Ｄ変換の設定値は初期値とする（Ｓ１１）。コントロール信号が認識できた場合はカメラの形式を特定する（Ｓ１２）。更に、特定されたカメラの形式に従い、設定値を予めＲＯＭ等に用意したカメラのＡ／Ｄ変換の設定値２６から選択する（Ｓ１３）。設定値の決め方や項目については後述する。
【００１３】
選択された設定値にＡ／Ｄ変換器２１の設定を変更する（Ｓ１４）。以後、この設定値で映像信号をＡ／Ｄ変換するとともに、コントロール信号線１２を介してカメラコントロールのためのコマンドのやり取りをする。Ａ／Ｄ変換された映像データは圧縮器２２でデータ圧縮され通信インターフェース２４を介して通信回線網４０に配信される。以上の動作はＣＰＵ２３によって行われる。
【００１４】
配信された映像データは、通信網４０に接続されたＰＣ等の表示装置３０において処理された映像データが表示される。
【００１５】
次に、Ａ／Ｄ変換器の設定値の決め方や項目について説明する。
【００１６】
カメラコントロール信号線の認識できないカメラで用いる初期値については、図４のフローチャートに示すように、先ず、カメラサーバ２０の映像入力に映像の標準信号発生器等のカラーバー信号を入力し、ＰＣ等の表示装置３０に表示させる（Ｓ２０）。
【００１７】
次に、表示装置３０で静止画像として取り込み（Ｓ２１）、色測定のアプリケーションソフトウエアを用いて、ＲＧＢ各色のデジタルレベルを測定し（Ｓ２２）、希望のレベル範囲内であるかどうかを調べる（Ｓ２３）。範囲外である場合はＡ／Ｄ変換器２１の設定を変更し（Ｓ２４）、再び静止画像として取り込み（Ｓ２１）、測定を希望のレベル範囲内になるまで行う。範囲内になったらそのときの設定値を初期値として保存する（Ｓ２５）。
【００１８】
コントロール信号線１２を接続し、コントロール信号が認識できるカメラについては図５のフローチャートを用いて説明する。
【００１９】
予めそのカメラにおいて標準的な特性を持ったカメラを用いて色に対する特性を調べる。先ずはカメラサーバ２０の映像入力に標準的な特性を持ったカメラの映像信号を入力し（Ｓ３０）、カラーバーチャートの画像をＰＣ等の表示装置３０に表示させる（Ｓ３１）。
【００２０】
次に、上記と同様に表示装置３０で静止画像として取り込み（Ｓ３２）、色測定のアプリケーションソフトウエアを用いて、ＲＧＢ各色のデジタルレベルを測定し（Ｓ３３）、希望のレベル範囲内であるかどうかを調べる（Ｓ３４）。範囲外である場合はＡ／Ｄ変換器２１の設定を変更し（Ｓ３５）、再び静止画像として取り込み（Ｓ３２）、測定を希望のレベル範囲内になるまで行う。範囲内になったらそのときの設定値を概カメラの設定値として保存する（Ｓ３６）。この作業をコントロール信号が認識できるカメラの全ての形式に対して行い（Ｓ３７）、各カメラの設定値として保存する。
【００２１】
Ａ／Ｄ変換器２１における色補正用の設定値としては明るさのＡＧＣループの設定、ブラックレベルの調整、色信号ループのリファレンスレベル、カラーサブキャリア位相の調整等がある。
【００２２】
図２はカメラサーバ２０に複数のカメラ１０−１〜１０−ｎが接続された場合の実施の形態２の概略構成ブロック図である。図１と同じ構成要素には同じ符号を付してある。
【００２３】
図２において、カメラサーバ２０はカメラ１０−１〜１０−ｎのｎ個のカメラを切替えて、それぞれの映像信号をＡ／Ｄ変換し、画像圧縮して通信回線網４０に映像を配信するものである。この場合のＡ／Ｄ変換機２１の設定値の決め方は、カメラを切替えた時に実施の形態１と同様に図３のフローチャートを基にカメラの形式を特定し、設定値を選択して変更するように行う。
【００２４】
又、新しいカメラを新たに登録する場合は、図５のフローチャートに従い新しいカメラに対するＡ／Ｄ変換値を決定し、ＲＯＭ２６に登録するようにすれば良い。
【産業上の利用可能性】
【００２５】
本発明は、カメラの映像信号をカメラサーバでＡ／Ｄ変換と画像圧縮をして通信回線網に映像を配信し、通信回線網を介してモニターに表示をする時に、カメラごとの色補正をカメラサーバで行う方法に対して適用可能である。
【図面の簡単な説明】
【００２６】
【図１】本発明の実施の形態１の概略構成ブロック図である。
【図２】本発明の実施の形態２の概略構成ブロック図である。
【図３】本発明のＡ／Ｄ変換機の設定値を選択するためのフローチャートである。
【図４】本発明のＡ／Ｄ変換機の初期値を決めるためフローチャートである。
【図５】本発明のＡ／Ｄ変換機の設定値をカメラの形式毎に決めるためフローチャートである。
【符号の説明】
【００２７】
１０    カメラ
１１   映像信号線
１２   コントロール信号線
２０   カメラサーバ
２１  Ａ／Ｄ変換器
２２   画像圧縮器
２３  ＣＰＵ
２４   通信インターフェース
２５  Ａ／Ｄ変換器の設定のための信号線
２６  Ａ／Ｄ変換器の設定を保存したＲＯＭ
３０   表示装置
４０   通信回線網
【図１】
2005117475.tif 000003
【図２】
2005117475.tif 000004
【図３】
2005117475.tif 000005
【図４】
2005117475.tif 000006
【図５】
2005117475.tif 000007